(57)【要約】      （修正有）【課題】箱体の蓋部の封函状態を維持しやすい箱用シートを提供する。【解決手段】組立状態で対向する一対の第１側面パネル１ａ、１ｂ及び一対の第２側面パネル２ａ、２ｂと、一対の第１側面パネルの上縁から延出し、組立状態で先端縁同士が突き合わされる一対の蓋外フラップ３ａ、３ｂと、一対の第２側面パネルの上縁から延出する一対の蓋内フラップ４ａ、４ｂとを備える箱用シート１０であって、一方の蓋内フラップに、幅方向に間隔を空けてその先端縁から基端側に向けて延びる一対の破断線１３が形成されており、一対の破断線の間に差し込み片１４が画定されており、一対の蓋外フラップの差し込み片に近接する側の合わせ目部分に、差し込み片が挿入される挿入口が設けられており、挿入口が、差し込み片の反対側に向けて凸なＵ字状のスリット１１ａと、スリットの両端部を接続する折り曲げ容易線１１ｂとによって画定されている。【選択図】図１
0003235008.tif 000002
【実用新案登録請求の範囲】
【請求項１】
組立状態で対向する一対の第１側面パネル及び一対の第２側面パネルと、
上記一対の第１側面パネルの上縁から延出し、組立状態で先端縁同士が突き合わされる一対の蓋外フラップと、
上記一対の第２側面パネルの上縁から延出する一対の蓋内フラップと
を備える箱用シートであって、
一方の上記蓋内フラップに、幅方向に間隔を空けてその先端縁から基端側に向けて延びる一対の破断線が形成されており、
上記一対の破断線の間に差し込み片が画定されており、
上記一対の蓋外フラップの上記差し込み片に近接する側の合わせ目部分に、上記差し込み片が挿入される挿入口が設けられており、
上記挿入口が、上記差し込み片の反対側に向けて凸なＵ字状のスリットと、上記スリットの両端部を接続する折り曲げ容易線とによって画定されている箱用シート。
【請求項２】
上記差し込み片が、上記一方の蓋内フラップの基端縁から設けられている請求項１に記載の箱用シート。
【請求項３】
上記差し込み片が、基端側から先端側に向けて基部と、中間部と、先端部とに区画されており、上記基部の突出方向長さが、シート厚さの１倍以上３倍以下であり、上記中間部の突出方向長さが、組立状態の平面視における上記一方の蓋内フラップの基端縁から上記折り曲げ容易線までの間隔以上かつ上記一方の蓋内フラップの基端縁から上記スリットまでの最大間隔以下である請求項２に記載の箱用シート。
【請求項４】
上記折り曲げ容易線の長さに対する上記中間部の先端縁の幅の比が０．８以上１以下である請求項３に記載の箱用シート。
【請求項５】
上記先端部が、突出方向の中間部分で拡幅している請求項３又は請求項４に記載の箱用シート。
【考案の詳細な説明】
【技術分野】
【０００１】
本考案は、箱用シートに関する。
【背景技術】
【０００２】
段ボールシート等の箱用シートから組み立てられる箱体が、物品の保管、運搬等に用いられている。この箱用シートとしては、組立状態で対向する一対の第１側面パネル及び一対の第２側面パネルと、一対の第１側面パネルの上縁から延出する一対の蓋外フラップと、一対の第２側面パネルの上縁から延出する一対の蓋内フラップとを備えており、一対の蓋外フラップの先端縁同士を突き合わせることで箱体の蓋部を組み立て可能なものが公知である。
【０００３】
また、この箱用シートとしては、一対の蓋外フラップの合わせ目部分に溝を設け、一対の蓋内フラップに、上記溝に挿入される篏挿用フラップ６を設けることで、封函テープを用いなくても蓋部を組み立てできるものが提案されている（特許文献１参照）。
【先行技術文献】
【特許文献】
【０００４】
【特許文献１】実全昭５１−２０８２７号公報
【考案の概要】
【考案が解決しようとする課題】
【０００５】
特許文献１には、篏挿用フラップの先端部に、溝に挿入される篏挿用先端部を設けることが記載されている。特許文献１に記載されている箱用シートは、篏挿用先端部を直角に折り曲げて、この篏挿用先端部を溝に対して略垂直に挿入するものである。
【０００６】
しかしながら、この構成によると、上記篏挿用先端部が上記溝から抜けやすく、箱体の蓋部の封函状態を保持し難い。
【０００７】
本考案は、このような事情に基づいてなされたものであり、箱体の蓋部の封函状態を維持しやすい箱用シートを提供することを目的とする。
【課題を解決するための手段】
【０００８】
本考案の一態様に係る箱用シートは、組立状態で対向する一対の第１側面パネル及び一対の第２側面パネルと、上記一対の第１側面パネルの上縁から延出し、組立状態で先端縁同士が突き合わされる一対の蓋外フラップと、上記一対の第２側面パネルの上縁から延出する一対の蓋内フラップとを備える箱用シートであって、一方の上記蓋内フラップに、幅方向に間隔を空けてその先端縁から基端側に向けて延びる一対の破断線が形成されており、上記一対の破断線の間に差し込み片が画定されており、上記一対の蓋外フラップの上記差し込み片に近接する側の合わせ目部分に、上記差し込み片が挿入される挿入口が設けられており、上記挿入口が、上記差し込み片の反対側に向けて凸なＵ字状のスリットと、上記スリットの両端部を接続する折り曲げ容易線とによって画定されている。
【考案の効果】
【０００９】
本考案の一態様に係る箱用シートは、箱体の蓋部の封函状態を維持しやすい。
【図面の簡単な説明】
【００１０】
【図１】図１は、本考案の一実施形態に係る箱用シートを示す模式的平面図である。
【図２】図２は、図１の箱用シートを組み立ててなる箱体の模式的斜視図である。
【図３】図３は、図２の箱体の模式的平面図である。
【図４】図４は、図２の箱体における差し込み片を挿入口に差し込む前の状態を示す模式的平面図である。
【図５】図５は、図１の箱用シートの部分拡大図である。
【図６】図６は、図３の箱体のＶＩ−ＶＩ線断面図である。
【考案を実施するための形態】
【００１１】
［本考案の実施形態の説明］
最初に本考案の実施態様を列記して説明する。
【００１２】
本考案の一態様に係る箱用シートは、組立状態で対向する一対の第１側面パネル及び一対の第２側面パネルと、上記一対の第１側面パネルの上縁から延出し、組立状態で先端縁同士が突き合わされる一対の蓋外フラップと、上記一対の第２側面パネルの上縁から延出する一対の蓋内フラップとを備える箱用シートであって、一方の上記蓋内フラップに、幅方向に間隔を空けてその先端縁から基端側に向けて延びる一対の破断線が形成されており、上記一対の破断線の間に差し込み片が画定されており、上記一対の蓋外フラップの上記差し込み片に近接する側の合わせ目部分に、上記差し込み片が挿入される挿入口が設けられており、上記挿入口が、上記差し込み片の反対側に向けて凸なＵ字状のスリットと、上記スリットの両端部を接続する折り曲げ容易線とによって画定されている。
【００１３】
当該箱用シートは、上記一方の蓋内フラップに画定される差し込み片を、上記一対の蓋外フラップの合わせ目部分に形成される挿入口に上方から差し込むことで箱体の蓋部を封函することができる。当該箱用シートは、上記挿入口が、上記差し込み片の反対側に向けて凸なＵ字状のスリットと、上記スリットの両端部を接続する折り曲げ容易線とによって画定されているので、上記一対の蓋外フラップの合わせ目部分には、上記スリットと上記折り曲げ容易線とによって画定される舌片が形成される。当該箱用シートは、上記差し込み片が上記挿入口に差し込まれた状態で、上記差し込み片を上記一対の蓋外フラップの先端部と上記舌片とによって挟み込むことができる。従って、当該箱用シートによると、箱体の蓋部の封函状態を維持しやすい。
【００１４】
上記差し込み片が、上記一方の蓋内フラップの基端縁から設けられているとよい。このように、上記差し込み片が、上記一方の蓋内フラップの基端縁から設けられていることによって、上記差し込み片を上記挿入口に容易に差し込むことができる。
【００１５】
上記差し込み片が、基端側から先端側に向けて基部と、中間部と、先端部とに区画されており、上記基部の突出方向長さが、シート厚さの１倍以上３倍以下であり、上記中間部の突出方向長さが、組立状態の平面視における上記一方の蓋内フラップの基端縁から上記折り曲げ容易線までの間隔以上かつ上記一方の蓋内フラップの基端縁から上記スリットまでの最大間隔以下であるとよい。このように、上記差し込み片が、基端側から先端側に向けて基部と、中間部と、先端部とに区画されており、上記基部の突出方向長さが、シート厚さの１倍以上３倍以下であり、上記中間部の突出方向長さが、組立状態の平面視における上記一方の蓋内フラップの基端縁から上記折り曲げ容易線までの間隔以上かつ上記一方の蓋内フラップの基端縁から上記スリットまでの最大間隔以下であることによって、上記一対の蓋外フラップに対して傾斜した状態で上記先端部を上記挿入口に挿入することができる。その結果、上記差し込み片を上記一対の蓋外フラップの先端部と上記舌片とによって容易かつ確実に挟み込むことができる。
【００１６】
上記折り曲げ容易線の長さに対する上記中間部の先端縁の幅の比としては０．８以上１以下が好ましい。このように、上記折り曲げ容易線の長さに対する上記中間部の先端縁の幅の比が上記範囲内であることによって、上記差し込み片を上記挿入口に容易かつ確実に差し込むことができる。
【００１７】
上記先端部が、突出方向の中間部分で拡幅しているとよい。このように、上記先端部が、突出方向の中間部分で拡幅していることによって、上記差し込み片が上記挿入口に差し込まれた状態をより確実に維持することができる。
【００１８】
なお、本考案において、「Ｕ字状」とは、角Ｕ字状や、角Ｕ字状に近似した形状を含む。
【００１９】
［本考案の実施形態の詳細］
以下、適宜図面を参照しつつ、本考案の実施の形態を詳説する。
【００２０】
［箱用シート］
図１の箱用シート１０は、組立状態で対向する一対の第１側面パネル１ａ、１ｂ及び一対の第２側面パネル２ａ、２ｂと、一対の第１側面パネル１ａ、１ｂの上縁から延出し、組立状態で先端縁同士が突き合わされる一対の蓋外フラップ３ａ、３ｂと、一対の第２側面パネル２ａ、２ｂの上縁から延出する一対の蓋内フラップ（第１蓋内フラップ４ａ及び第２蓋内フラップ４ｂ）とを備える。一対の第１側面パネル１ａ、１ｂ及び一対の第２側面パネル２ａ、２ｂは、左右方向に交互に連接されている。また、当該箱用シート１０は、一対の第１側面パネル１ａ、１ｂの下縁から延出する一対の底外フラップ（第１底外フラップ５ａ及び第２底外フラップ５ｂ）と、一対の第２側面パネル２ａ、２ｂの下縁から延出する一対の底内フラップ６ａ、６ｂと、左右方向外側（図１では左側）に位置する第１側面パネル１ａの左右方向外側の側縁から延出する継代７とを備える。なお、本考案において、「左右方向」とは、箱用シートを組み立ててなる箱体において想定される一般的な使用態様における水平方向を意味する。「上」とは、上記左右方向を基準とする上を意味し、「下」とは、上記左右方向を基準とする下を意味する。「内」とは、箱用シートを組み立ててなる箱体における内を意味し、「外」とは上記箱体における外を意味する。また、図１において、太い実線はシートを切断して形成される切断線を示し、細い実線はシートの片面を筋押しして形成される罫線を示している。
【００２１】
当該箱用シート１０は、図２及び図３に示す箱体２０に組み立てられる。当該箱用シート１０を箱体２０に組み立てる手順について説明する。まず、左右方向外側（図１では左側）に位置する第１側面パネル１ａをこの第１側面パネル１ａに連接される第２側面パネル２ａの内面に折り重ね、左右方向外側（図１では右側）に位置する第２側面パネル２ｂをこの第２側面パネル２ｂに連接される第１側面パネル１ｂの内面に折り重ね、継代７を折り重ねられた第２側面パネル２ｂの内面に貼着する。次に、無端状に接続された一対の第１側面パネル１ａ、１ｂ及び一対の第２側面パネル２ａ、２ｂを四角筒状に広げたうえで、一対の底内フラップ６ａ、６ｂを内側に折り曲げ、さらに第１底外フラップ５ａ及び第２底外フラップ５ｂを内側に折り曲げて先端縁同士を係合することで箱体２０の底部を組み立てる。続いて、第１蓋内フラップ４ａと、第２蓋内フラップ４ｂのうちの後述する一対の側片１５を内側に折り曲げ、一対の蓋外フラップ３ａ、３ｂを内側に折り曲げて先端縁同士を突き合わせたうえで、第２蓋内フラップ４ｂのうち後述する差し込み片１４を一対の蓋外フラップ３ａ、３ｂの合わせ目部分に形成された挿入口１１に差し込むことで箱体２０の蓋部を組み立てる。なお、箱体２０における一対の蓋外フラップ３ａ、３ｂ同士の突き合わせ部分には、封函テープ（不図示）を貼着してもよい。
【００２２】
当該箱用シート１０は、１枚のシートから形成されている。当該箱用シート１０に用いられるシートとしては、当該箱用シート１０を組み立ててなる箱体２０の形状を維持できる程度の強度を有する限り特に限定されるものではなく、例えば段ボールシート、ボール紙等の紙製シート、合成樹脂製シート、紙製シートと合成樹脂製シートとの積層シート等が挙げられる。中でも、加工性、衝撃吸収性、取扱性、リサイクル性、経済性等の点から紙製シートが好ましく、段ボールシートが特に好ましい。当該箱用シート１０を形成する段ボールとしては、原紙を波形状に形成した中芯をライナーに貼り合わせたものであって、例えば波形状に形成された中芯を１枚のライナーに貼り合わせた片面段ボールシート、片面段ボールシートの段頂にさらにライナーを貼り合わせた両面段ボールシート、両面段ボールシートの片側に片面段ボールシートの段頂を貼り合わせた複両面段ボールシート、複両面段ボールシートの片側に片面段ボールシートの段頂をさらに貼り合わせた複々両面段ボールシート等が挙げられる。これらの中でも、加工性、経済性、耐久性等の点から両面段ボールシートが好ましい。
【００２３】
（第１側面パネル）
一対の第１側面パネル１ａ、１ｂは矩形状かつ略同一形状に形成されている。第１側面パネル１ａ、１ｂの左右方向長さは第２側面パネル２ａ、２ｂの左右方向長さよりも大きい。つまり、第１側面パネル１ａ、１ｂは、箱体２０における長さ面を構成する長さ面パネルである。
【００２４】
第１側面パネル１ａ、１ｂの左右方向長さとしては、箱体２０に収容する物品の大きさや数量等に基づいて適宜設定可能であるが、例えば１５ｃｍ以上５０ｃｍ以下とすることができる。第１側面パネル１ａ、１ｂの上下方向長さとしては、箱体２０に収容する物品の大きさや数量等に基づいて適宜設定可能であるが、例えば５ｃｍ以上３０ｃｍ以下とすることができる。
【００２５】
（第２側面パネル）
一対の第２側面パネル２ａ、２ｂは矩形状かつ略同一形状に形成されている。第２側面パネル２ａ、２ｂは、箱体２０における幅面を構成する幅面パネルである。第２側面パネル２ａ、２ｂの左右方向長さとしては、箱体２０に収容する物品の大きさや数量等に基づいて適宜設定可能であるが、例えば１０ｃｍ以上３０ｃｍ以下とすることができる。第２側面パネル２ａ、２ｂの上下方向長さとしては、第１側面パネル１ａ、１ｂの上下方向長さと同じとすることができる。
【００２６】
（蓋外フラップ）
一対の蓋外フラップ３ａ、３ｂは、略矩形状に形成されている。蓋外フラップ３ａ、３ｂは、第１側面パネル１ａ、１ｂの左右方向長さと略同幅である。蓋外フラップ３ａ、３ｂの延出方向長さは、第２側面パネル２ａ、２ｂの左右方向長さの略１／２である。
【００２７】
図２から図４に示すように、一対の蓋外フラップ３ａ、３ｂは、差し込み片１４に近接する側の合わせ目部分（組立状態で第２蓋内フラップ４ｂと近接する側の合わせ目部分）に、差し込み片１４が挿入される挿入口１１を有する。挿入口１１は、一対の蓋外フラップ３ａ、３ｂに跨って形成されている。
【００２８】
図４に示すように、挿入口１１は、差し込み片１４の反対側に向けて凸なＵ字状のスリット１１ａと、スリット１１ａの両端部を接続する折り曲げ容易線１１ｂとによって画定されている。一対の蓋外フラップ３ａ、３ｂの合わせ目部分には、スリット１１ａと折り曲げ容易線１１ｂとによって舌片１２が形成されている。
【００２９】
スリット１１ａは、組立状態における平面視で第２蓋内フラップ４ｂの基端縁と平行に延びる第１部分と、上記第１部分の両端に接続されて第２蓋内フラップ４ｂ側に延びる一対の第２部分とを有する。折り曲げ容易線１１ｂは、直線状であり、上記第１部分と平行に延びている。
【００３０】
（第１蓋内フラップ）
第１蓋内フラップ４ａは、矩形状に形成されている。第１蓋内フラップ４ａは、第２側面パネル２ａの左右方向長さと略同幅である。第１蓋内フラップ４ａの延出方向長さは、蓋外フラップ３ａ、３ｂの延出方向長さと同じとすることができる。
【００３１】
（第２蓋内フラップ）
第２蓋内フラップ４ｂは、矩形状に形成されている。第２蓋内フラップ４ｂは、第２側面パネル２ｂの左右方向長さと略同幅である。第２蓋内フラップ４ｂの延出方向長さは、蓋外フラップ３ａ、３ｂの延出方向長さと同じとすることができる。
【００３２】
図１及び図５に示すように、第２蓋内フラップ４ｂには、幅方向に間隔を空けてその先端縁から基端側に向けて延びる一対の破断線１３が形成されている。第２蓋内フラップ４ｂには、一対の破断線１３の間に差し込み片１４が画定されている。また、第２蓋内フラップ４ｂには、差し込み片１４の両側に、破断線１３を介して一対の側片１５が画定されている。なお、破断線１３としては、第２蓋内フラップ４ｂを差し込み片１４と一対の側片１５とに予め分割する切断線の他、第２蓋内フラップ４ｂを差し込み片１４と一対の側片１５とに分割可能に構成する破断容易線を含む。
【００３３】
挿し込み片１４は、第２蓋内フラップ４ｂの基端縁から設けられている。すなわち、一対の破断線１３は、第２蓋内フラップ４ｂの先端縁から基端縁まで至っている。当該箱用シート１０は、差し込み片１４が、第２蓋内フラップ４ｂの基端縁から設けられていることによって、差し込み片１４を挿入口１１に容易に差し込むことができる。
【００３４】
図５に示すように、差し込み片１４は、基端側から先端側に向けて基部１４ａと、中間部１４ｂと、先端部１４ｃとに区画されている。基部１４ａと中間部１４ｂとの境界線、及び中間部１４ｂと先端部１４ｃとの境界線には、それぞれ折り曲げ容易線が形成されている。これらの折り曲げ容易線は、第２蓋内フラップ４ｂの基端縁と平行に延びている。
【００３５】
基部１４ａの突出方向長さＬ１の下限としては、シート厚さの１倍が好ましい。一方、基部１４ａの突出方向長さＬ１の上限としては、シート厚さの３倍が好ましく、シート厚さの２倍がより好ましい。上記突出方向長さＬ１が上記下限に満たないと、差し込み片１４の中間部１４ｂを一対の蓋外フラップ３ａ、３ｂの上面に重ね難くなるおそれがある。逆に、上記突出方向長さＬ１が上記上限を超えると、中間部１４ｂの基端側が一対の蓋外フラップ３ａ、３ｂの上面から浮き上がるおそれがある。
【００３６】
図４及び図５に示すように、中間部１４ｂの突出方向長さＬ２としては、組立状態の平面視における第２蓋内フラップ４ｂの基端縁から折り曲げ容易線１１ｂ（挿入口１１を画定する折り曲げ容易線１１ｂ）までの間隔Ｄ１以上かつ第２蓋内フラップ４ｂの基端縁からスリット１１ａまでの最大間隔Ｄ２（つまり、第２蓋内フラップ４ｂの基端縁からスリット１１ａの上記第１部分までの間隔）以下であることが好ましい。
【００３７】
当該箱用シート１０は、差し込み片１４が、基端側から先端側に向けて基部１４ａと、中間部１４ｂと、先端部１４ｃとに区画されており、基部１４ａの突出方向長さＬ１が、シート厚さの１倍以上３倍以下であり、中間部１４ｂの突出方向長さＬ２が、組立状態の平面視における第２蓋内フラップ４ｂの基端縁から折り曲げ容易線１１ｂまでの間隔Ｄ１以上かつ第２蓋内フラップ４ｂの基端縁からスリット１１ａまでの最大間隔Ｄ２以下であることによって、図６に示すように、一対の蓋外フラップ３ａ、３ｂに対して傾斜した状態で先端部１４ｃを挿入口１１に挿入することができる。その結果、差し込み片１４を一対の蓋外フラップ３ａ、３ｂの先端部と舌片１２とによって容易かつ確実に挟み込むことができる。
【００３８】
折り曲げ容易線１１ｂの長さに対する中間部１４ｂの先端縁の幅Ｗの比の下限としては、０．８が好ましく、０．９がより好ましい。一方、上記比の上限としては、１が好ましい。上記比が上記下限に満たないと、差し込み片１４が挿入口１１から抜けやすくなるおそれがある。逆に、上記比が上記上限を超えると、差し込み片１４を挿入口に差し込み難くなるおそれがある。
【００３９】
差し込み片１４が挿入口１１に差し込まれた状態で、先端部１４ｃは、挿入口１１よりも一対の蓋外フラップ３ａ、３ｂの幅方向の内側まで突出する。
【００４０】
先端部１４ｃは、突出方向の中間部分で拡幅していることが好ましい。また、先端部１４ｃの拡幅部分の幅は、折り曲げ容易線１１ｂの長さよりも大きいことが好ましい。当該箱用シート１０は、先端部１４ｃが、突出方向の中間部分で拡幅していることによって、差し込み片１４が挿入口１１に差し込まれた状態をより確実に維持することができる。
【００４１】
（底外フラップ）
第１底外フラップ５ａは、略矩形状に形成されている。第１底外フラップ５ａは、第１側面パネル１ａの左右方向長さと略同幅である。第１底外フラップ５ａは、先端縁にＵ字状の凹部１６ａを有する。第１底外フラップ５ａは、基端縁における幅方向の両端部近傍から幅方向内側に傾斜して先端縁側に延びる一対の弱化線１６ｂを有する。
【００４２】
第２底外フラップ５ｂは、第１側面パネル１ｂの左右方向長さと略同幅である。第２底外フラップ５ｂは、略矩形状の本体１７ａと、本体１７ａの先端縁の中央部から突出する突片１７ｂと、基端縁における幅方向の両端部近傍から幅方向内側に傾斜して先端縁側に延びる一対の弱化線１７ｃとを有する。
【００４３】
（底内フラップ）
一対の底内フラップ６ａ、６ｂは矩形状かつ略同一形状に形成されている。底内フラップ６ａ、６ｂは、第２側面パネル２ａ、２ｂの左右方向長さと略同幅である。
【００４４】
当該箱用シート１０は、一対の底内フラップ６ａ、６ｂを内側に折り曲げたうえで、第１底外フラップ５ａを内側に折り曲げ、この第１底外フラップ５ａの外側に第２底外フラップ５ｂを折り重ねた状態で、第２底外フラップ５ｂを内側に押し込んでいくことで箱体２０の底部を組み立てることができる。具体的には、第２底外フラップ５ｂの突片１７ｂが第１底外フラップ５ａの凹部１６ａを越えるまで第２底外フラップ５ｂを押し込んだ後、第２底外フラップ５ｂの押し込みを解除する。これにより、シートの反力で第１底外フラップ５ａと第２底外フラップ５ｂとが略平行になる位置まで押し戻され、第１底外フラップ５ａと第２底外フラップ５ｂとが噛み合った状態で底部が形成される。
【００４５】
＜利点＞
当該箱用シート１０は、第２蓋内フラップ４ｂに画定される差し込み片１４を、一対の蓋外フラップ３ａ、３ｂの合わせ目部分に形成される挿入口１１に上方から差し込むことで箱体２０の蓋部を封函することができる。当該箱用シート１０は、挿入口１１が、差し込み片１４の反対側に向けて凸なＵ字状のスリット１１ａと、スリット１１ａの両端部を接続する折り曲げ容易線１１ｂとによって画定されているので、一対の蓋外フラップ３ａ、３ｂの合わせ目部分には、スリット１１ａと折り曲げ容易線１１ｂとによって画定される舌片１２が形成される。当該箱用シート１０は、差し込み片１４が挿入口１１に差し込まれた状態で、差し込み片１４を一対の蓋外フラップ３ａ、３ｂの先端部と舌片１２とによって挟み込むことができる。従って、当該箱用シート１０によると、箱体２０の蓋部の封函状態を維持しやすい。
【００４６】
［その他の実施形態］
上記実施形態は、本考案の構成を限定するものではない。従って、上記実施形態は、本明細書の記載及び技術常識に基づいて上記実施形態各部の構成要素の省略、置換又は追加が可能であり、それらは全て本考案の範囲に属するものと解釈されるべきである。
【００４７】
上記差し込み片は、上記蓋内フラップの延出方向の中間部分から形成されていてもよい。当該箱用シートは、上記差し込み片が上記蓋内フラップの延出方向の中間部分から形成されている場合でも、例えば上記一対の蓋外フラップの上記差し込み片側の幅を短くすることで、この差し込み片を上記挿入口に挿入することができる。
【００４８】
上記差し込み片は、上記一対の蓋内フラップのそれぞれに設けられていてもよい。
【００４９】
上記差し込み片の具体的な形状は、上記実施形態に記載の形状に限定されない。例えば上記差し込み片は、基部と、中間部と、先端部との３つに区画されていなくてもよい。また、上記差し込み片は、基部、中間部及び先端部以外の部分をさらに有していてもよい。
【００５０】
当該箱用シートから組み立てられる箱体の底部の構成は特に限定されるものではない。
【産業上の利用可能性】
【００５１】
以上のように、本考案の一態様に係る箱用シートは、箱体の蓋部の封函状態を維持しやすいので、物品の保管用等に好適に用いられる。
【符号の説明】
【００５２】
１ａ、１ｂ  第１側面パネル
２ａ、２ｂ  第２側面パネル
３ａ、３ｂ  蓋外フラップ
４ａ  第１蓋内フラップ
４ｂ  第２蓋内フラップ
５ａ  第１底外フラップ
５ｂ  第２底外フラップ
６ａ、６ｂ  底内フラップ
７  継代
１０  箱用シート
１１  挿入口
１１ａ  スリット
１１ｂ  折り曲げ容易線
１２  舌片
１３  破断線
１４  差し込み片
１４ａ  基部
１４ｂ  中間部
１４ｃ  先端部
１５  側片
１６ａ  凹部
１６ｂ  弱化線
１７ａ  本体
１７ｂ  突片
１７ｃ  弱化線
２０  箱体
Ｌ１  基部の突出方向長さ
Ｌ２  中間部の突出方向長さ
Ｄ１  組立状態の平面視における第２蓋内フラップの基端縁から折り曲げ容易線までの間隔
Ｄ２  組立状態の平面視における第２蓋内フラップの基端縁からスリットまでの最大間隔
Ｗ  中間部の先端縁の幅
【図１】
0003235008.tif 000003
【図２】
0003235008.tif 000004
【図３】
0003235008.tif 000005
【図４】
0003235008.tif 000006
【図５】
0003235008.tif 000007
【図６】
0003235008.tif 000008